(57)【特許請求の範囲】
【請求項１】
直流モータを有する圧縮機と、
起動時に、予め設定された大きさの起動電圧を該モータに供給する処理（「電圧供給処理」とする）を行う起動手段と、
を備えた空気調和機において、
起動の失敗を検知する失敗検知手段と、
少なくとも、前記圧縮機が設置される室外の温度を検出する温度検出手段と、
前記温度検出手段により検出された温度が、所定の条件を満たしているか否かを判断する判断手段と、
前記起動電圧が大きくなるように前記設定を更新するとともに、前記モータを所定の回転方向に所定角度回転させることによって、該モータの回転位置を変更させる処理（「起動条件変更処理」とする）を行う、起動条件変更手段と、
前記起動の失敗の回数をカウントするカウンタと、
を備え、
該起動条件変更手段は、
前記起動の失敗が検知され、かつ、前記検出された温度が所定の条件を満たしていると判断された場合に、次回行われる前記電圧供給処理に先立って、前記起動条件変更処理を行い、
前記起動手段は、
前記起動の失敗が検知された場合に、前記電圧供給処理を再度実行し、
前記判断手段は、
前記回数の増加に応じて、前記条件を緩めることを特徴とする空気調和機。
【請求項２】
前記判断手段は、
前記検出された温度が所定の閾値以下である場合に、前記条件を満たしていると判断することを特徴とする請求項１に記載の空気調和機。
【請求項３】
モータを有する圧縮機と、
起動時に、予め設定された大きさの回転トルクを該モータに発生させる処理（「モータ起動処理」とする）起動手段と、
を備えた空気調和機において、
起動の失敗を検知する失敗検知手段と、
温度を検出する温度検出手段と、
前記検出された温度が、所定の条件を満たしているか否かを判断する判断手段と、
前記回転トルクが大きくなるように前記設定を更新するとともに、前記モータの回転位置を変更させる処理（「起動条件変更処理」とする）を行う、起動条件変更手段と、
前記起動の失敗の回数をカウントするカウンタと、
を備え、
該起動条件変更手段は、
前記起動の失敗が検知され、かつ、前記検出された温度が所定の条件を満たしていると判断された場合に、次回行われる前記モータ起動処理に先立って、前記起動条件変更処理を行い、
前記起動手段は、
前記起動の失敗が検知された場合に、前記モータ起動処理を再度実行し、
前記判断手段は、
前記回数の増加に応じて、前記条件を緩めることを特徴とする空気調和機。
【発明の詳細な説明】
【技術分野】
【０００１】
本発明は、直流モータによる動力を用いて気体を圧縮する圧縮機を備えた、空気調和機に関する。
【背景技術】
【０００２】
従来、一般家庭やオフィス等においては、モータ（例えば、ＤＣブラシレスモータ）を有する圧縮機を備えた空気調和機が、広く用いられている。このような空気調和機は、例えば、所定の起動電圧が当該モータに供給されることによって起動する。
【０００３】
しかしながら起動時において、何らかの原因によって当該モータが回転せず、起動に失敗する場合がある。このような場合、前回と同じ条件にて再度起動を試みても、起動の失敗を招いた原因が除去されていない限り、同様の失敗を繰り返す可能性が高いと考えられる。
【０００４】
このような課題を解決すべく、起動の失敗ごとに起動電圧を上げながら、起動を繰り返すものが提案されている。これによれば、起動を繰り返す度に、モータの回転トルクを増大させることが可能となる。その結果、例えば回転トルクがやや不足していたことが起動失敗の原因であった場合には、最終的に起動を成功させることが可能となる。
【特許文献１】特開２００１−１１９９９５号公報
【特許文献２】特開平１０−２６７４３２号公報
【特許文献３】特許第３３３２３８３号公報
【発明の開示】
【発明が解決しようとする課題】
【０００５】
しかし起動失敗の原因が、モータの回転を妨げる機械的な引っ掛かりにある場合には、モータの回転トルクを多少増大させた程度では、起動を成功させることは難しい。なお機械的な引っ掛かりは、例えば、ロータに付着した水分が凍結した場合に、この凍結部分がステータ側にも固着したり、ロータの回転時にステータ側に干渉したりすることで生じると考えられる。また起動を成功させようとして起動電圧を上げ過ぎると、過電流保護機能などが働きやすくなるため、逆に起動失敗の可能性が高くなるおそれがある。
【０００６】
また圧縮機が設置される室外（屋外を含む）の温度が比較的低くなる環境下では、圧縮機内部のオイルの粘度が高くなり、また、圧縮機内部に入った微量の水分が凝固する。そのため、上述したようなモータの回転を妨げる機械的な引っ掛かりが、比較的発生しやすくなる。このような事情により、室外温度の状態によっては、起動を成功させるために、当該機械的な引っ掛かりを除去する必要性が高くなる。
【０００７】
そこで本発明は上述した問題点に鑑み、圧縮機が設置される室外の温度に応じて、モータの回転を妨げる機械的な引っ掛かりによる起動失敗の原因を除去し得る、空気調和機の提供を目的とする。
【課題を解決するための手段】
【０００８】
上記目的を達成するため、本発明に係る空気調和機は、直流モータを有する圧縮機と、起動時に、予め設定された大きさの起動電圧を該モータに供給する処理（「電圧供給処理」とする）を行う起動手段と、を備えた空気調和機において、起動の失敗を検知する失敗検知手段と、少なくとも、前記圧縮機が設置される室外の温度を検出する温度検出手段と、前記温度検出手段により検出された温度が、所定の条件を満たしているか否かを判断する判断手段と、前記起動電圧が大きくなるように前記設定を更新するとともに、前記モータを所定の回転方向に所定角度回転させることによって、該モータの回転位置を変更させる処理（「起動条件変更処理」とする）を行う、起動条件変更手段と、を備え、該起動条件変更手段は、前記起動の失敗が検知され、かつ、前記検出された温度が所定の条件を満たしていると判断された場合に、次回行われる前記電圧供給処理に先立って、前記起動条件変更処理を行う構成（第１の構成）とする。
【０００９】
起動条件変更処理が実行されることにより、モータの回転を妨げる機械的な引っ掛かりを、極力解消させることが可能である。そのため本構成によれば、起動が失敗した場合に、室外温度に応じて、モータの回転を妨げる機械的な引っ掛かりによる起動失敗の原因を極力除去することが可能となる。なお、起動の失敗が検知され、かつ、検出された温度が所定の条件を満たすと判断された場合に、起動条件変更処理がなされるため、当該処理が無駄に実行されることを極力回避することが可能となる。
【００１０】
また上記第１の構成において、前記起動手段は、前記起動の失敗が検知された場合に、前記電圧供給処理を再度実行する構成（第２の構成）としてもよい。本構成によれば、１回または複数回起動が失敗したとしても、出来るだけ起動を成功させるようにすることが可能となる。
【００１１】
また上記第２の構成において、前記起動の失敗の回数をカウントするカウンタを備え、前記判断手段は、該回数の増加に応じて、前記条件を緩める構成（第３の構成）としてもよい。本構成によれば、起動の失敗回数が多くなるほど、モータの回転を妨げる機械的な引っ掛かりが、起動失敗の主な原因である可能性が高いと推定して、起動条件変更処理をより積極的に実行させることが可能となる。
【００１２】
また上記第１から第３の何れかの構成において、前記判断手段は、前記検出された温度が所定の閾値以下である場合に、前記条件を満たしていると判断する構成（第４の構成）としてもよい。
【００１３】
一般的に温度が低いほど、モータの回転を妨げる機械的な引っ掛かりが、発生しやすくなるといえる。そのため本構成によれば、起動条件変更処理を、適切なタイミングで実行させることが容易となる。
【００１４】
また上記第１から第３の何れかの構成としてより具体的には、室内に設置される室内熱交換器、および、該室内熱交換器が設置される部屋の外に設置される室外熱交換器を備えており、前記温度検出手段は、前記室内の温度、前記圧縮機に設けられている吐出管の温度、前記室内熱交換機の温度、および前記室外熱交換機の温度、のうちの少なくとも一つをも検出する構成（第５の構成）としてもよい。
【００１５】
また上記第１から第５の何れかの構成としてより具体的には、前記回転方向は、前記圧縮機の運転時に前記モータが回転する方向とは、逆の方向である構成（第６の構成）としてもよい。
【００１６】
また本発明に係る別の形態の空気調和機は、モータを有する圧縮機と、起動時に、予め設定された大きさの回転トルクを該モータに発生させる処理（「モータ起動処理」とする）起動手段と、を備えた空気調和機において、起動の失敗を検知する失敗検知手段と、温度を検出する温度検出手段と、前記検出された温度が、所定の条件を満たしているか否かを判断する判断手段と、前記回転トルクが大きくなるように前記設定を更新するとともに、前記モータの回転位置を変更させる処理（「起動条件変更処理」とする）を行う、起動条件変更手段と、を備え、該起動条件変更手段は、前記起動の失敗が検知され、かつ、前記検出された温度が所定の条件を満たしていると判断された場合に、次回行われる前記モータ起動処理に先立って、前記起動条件変更処理を行う構成（第７の構成）とする。本構成によれば、例えば温度検出手段が圧縮機近傍の温度を検知するようになっていれば、上記第１の構成の場合と、概ね同様の効果を奏することが可能である。
【発明の効果】
【００１７】
上述した通り、起動条件変更処理が実行されることにより、モータの回転を妨げる機械的な引っ掛かりを、極力解消させることが可能である。そのため、本発明に係る空気調和機によれば、起動が失敗した場合に、室外温度に応じて、モータの回転を妨げる機械的な引っ掛かりによる起動失敗の原因を極力除去することが可能となる。なお、起動の失敗が検知され、かつ、検出された温度が所定の条件を満たすと判断された場合に、起動条件変更処理がなされるため、当該処理が無駄に実行されることを極力回避することが可能となる。
【発明を実施するための最良の形態】
【００１８】
［実施例１］
本発明の実施形態の一つ（実施例１）に関する空気調和機について、以下に説明する。当該空気調和機の概略的な構成を表すブロック図を、図１に示す。本図に示すように、空気調和機１は、室内用熱交換器２、室外用熱交換器３、圧縮機４、ＡＣ−ＤＣコンバータ１１、モータ駆動回路１２、ＤＣモータ１３、操作部１４、温度センサ１５、起動失敗検知部１６、カウンタ１７、制御部１８、および記憶部１９等を備えている。
【００１９】
室内用熱交換器２は、室内の壁などへ設置される熱交換器であり、送風機能も備えている。室外用熱交換器３は、室外（室内用熱交換機２が設置される部屋の外であって、屋外も含む）に設置される熱交換器である。何れの熱交換器も、一般的な空気調和機と同様に、冷媒と空気との間で熱を交換させる役割を果たす。
【００２０】
圧縮機４は、ＤＣモータ１３を有しており、室外用熱交換器３と同様に室外に設置される。そしてこのＤＣモータ１３の回転を動力源として、送られてきた冷媒（ガス）を圧縮して、何れかの熱交換機（２、３）に向けて送り出す。また圧縮機４は、吐出管を備えており、冷媒はこの吐出管を通って送り出されることになる。
【００２１】
ＡＣ−ＤＣコンバータ１１は、商用電源などの交流電源（ＡＣ電源）から供給された電力を、直流に変換して後段回路へ送り出す。
【００２２】
モータ駆動回路１２は、ＡＣ−ＤＣコンバータ１１から送られてくる電力を用いて、ＤＣモータ１３側に所定の電圧（起動電圧や駆動電圧）を印加し、ＤＣモータ１３を駆動させる。なおＤＣモータ１３に印加する電圧の大きさについては、制御部１８から送られてくる制御信号に従って、調整されるようになっている。またＤＣモータ１３の回転トルクは、当該印加される電圧に対応している。そのため、ＤＣモータ１３の回転トルクは、制御部１８によって制御可能となっている。
【００２３】
ＤＣモータ１３は、例えば三相のＤＣブラシレスモータであり、一般的なモータと同様に、ステータ（固定子）とロータ（回転子）を備えている。ロータの回転による動力は、先述した通り、圧縮機４における冷媒の圧縮に用いられる。
【００２４】
操作部１４は、例えばユーザによって操作されるキースイッチを備えており、ユーザインターフェースとしての役割を果たす。操作の内容は制御部１８に伝送され、各種処理にユーザの意図が反映される。
【００２５】
温度センサ１５は、圧縮機４に取り付けられており、圧縮機４とともに室外に設置されることになる。これにより温度センサ１５は、圧縮機４が設置される室外の温度（圧縮機４が設置される場所の温度）を検知することが可能となっている。なお温度センサ１５は、圧縮機４の代わりに、室外用熱交換器３等に取り付けられていても良い。また温度センサ１５による検知結果は、制御部１８に伝送される。
【００２６】
起動失敗検知部１６は、空気調和機１の起動が失敗したか否かを検知する。なお起動失敗の検知は、例えば、ＤＣモータ１３に起動電圧が印加された時に、ロータが動かなかったことを検知することにより実現される。
【００２７】
カウンタ１７は、空気調和機１における起動失敗の回数をカウントする。なお起動が成功した場合には、カウント数をゼロに戻して、次の起動時におけるカウントに備える。
【００２８】
制御部１８は、例えばＣＰＵ［Central Processing Unit］によって構成されており、演算制御機能を有している。これにより制御部１８は、空気調和機１において実行される各処理を制御する。なお空気調和機１の起動のために実行される処理（起動処理）の内容については、改めて説明する。
【００２９】
記憶部１９は、例えば書換え可能な不揮発性メモリによって構成されており、種々の情報を記憶する。
【００３０】
なおＡＣ電源、ＡＣ−ＤＣコンバータ１１、モータ駆動回路１２、およびＤＣモータ１３を含む電力供給系統５の具体的な構成例を、図２に示す。本図に示すように、ＡＣ−ＤＣコンバータ１１とモータ駆動回路１２との間には抵抗Ｒが配置されており、電流検出回路２１によって、抵抗Ｒを流れる電流を検出することが可能となっている。またモータ駆動回路１２は、複数のトランジスタ（Ｔｕ〜Ｔｚ）が、図２に示すように接続されて構成されている。
【００３１】
空気調和機１は、上述した構成によって、室内用熱交換器２が設置された室内の空調を行うことが可能となっている。例えば冷房運転がなされる場合には、圧縮機４によって圧縮された冷媒のガスが、室外用熱交換器３に送られて凝縮液化される。その後、冷媒は減圧されて室内用熱交換機２に送られ、周囲の熱を奪うことにより、室内を冷却することになる。
【００３２】
ここで空気調和機１を起動させる処理（起動処理）、換言すれば、ＤＣモータ１３のロータを、静止状態から運転時の回転状態に移行させる処理の内容について、図４のフローチャートを参照しながら、以下に説明する。
【００３３】
操作部１４における操作を通じて、ユーザからの起動指示が有ったことが検知されると、空気調和機１は起動を開始する。先ず制御部１８は、予め設定された値（大きさ）の起動電圧がＤＣモータ１３に印加されるように、換言すれば、予め設定された大きさの回転トルクをＤＣモータ１３に発生させるように、モータ駆動回路１２を制御する（ステップＳ１）。また起動失敗検知部１６は、起動が失敗したか否かを判断する（ステップＳ２）。
【００３４】
そして起動が成功したと判断された場合には（ステップＳ２のＮ）、起動処理の目的は達成されたことになり、起動処理は完了する。その後、空気調和機１は、通常の空調運転を続けることになる。
【００３５】
ただし、起動が失敗したと判断された場合には（ステップＳ２のＹ）、制御部１８は、現時点で温度センサ１５により検知されている温度が、予め定められている判定条件を満たしているか否かを判断する（ステップＳ６）。なおここでの判定条件は、例えば「−３℃以下」というように、少なくとも上限値が定まっている所定の温度範囲を表すものである。
【００３６】
その結果、判定条件が満たされていないと判断されれば（ステップＳ６のＮ）、再度ステップＳ１の処理が実行される。このとき、起動電圧の大きさが、前回より大きくなるように更新されていても良い。再度の起動電圧の印加によって起動が成功すれば（ステップＳ２のＮ）、起動処理は終了する。
【００３７】
一方、ステップＳ６の処理において、判定条件が満たされていると判断された場合には（ステップＳ６のＹ）、室外の温度は比較的低いことから、ＤＣモータ１３における機械的な引っ掛かりが、起動失敗の原因の一つである可能性が高いと考えられる。つまり、室外の温度が低いと、圧縮機４の内部にあるオイルの粘度が高くなったり、圧縮機４の内部に入った微量の水分が凝固したりすることから、ＤＣモータ１３のロータの回転を妨げる機械的な引っ掛かりが発生しやすく、そのため、この機械的な引っ掛かりが起動失敗の原因の一つになっている可能性が高いと考えられる。
【００３８】
そこでこの場合には（ステップＳ６のＹ）、上述した機械的な引っ掛かりが除去され易くなるように、起動の条件を変更させる処理（起動条件変更処理）が実行され（ステップＳ７）、その後、再度ステップＳ１の処理が実行される。
【００３９】
ここで起動条件変更処理の内容について説明する。先ず起動条件変更処理では、起動電圧の設定値（設定されている起動電圧の大きさ）が所定値だけ増大される。なおこの所定値は、予め記憶部１９に記憶されている。
【００４０】
このようになっていることで、次回の起動時には、起動電圧の大きさが前回の起動時よりもアップされることになる。そのため次回の起動処理においては、前回に比べてＤＣモータ１３の回転トルクが大きくなり、その分だけ起動処理が有利となるために、起動が成功する可能性が高くなる。
【００４１】
また起動条件変更処理では、ＤＣモータ１３の回転位置（つまり、起動開始時点における、ＤＣモータ１３のロータの回転位置）が変更される処理（以下、「起動開始位置の変更処理」と称する）がなされる。当該処理の具体的な内容について、図３を参照しながら以下に説明する。
【００４２】
図３は、ＤＣモータ１３の内部構造を回転軸方向に見た場合の、模式的な図である。本図に示すように、ＤＣモータ１３は、ステータ３１の内側にロータ３２が配置されており、ステータ３１におけるＡ〜Ｆまでの６種類の通電位置に順次通電されることによって、ロータ３２が回転する。三相のＤＣモータ１３によれば、Ａ〜Ｆが電気角１周分に相当し、電気角２周分で機械角１周（ロータ３２が１回転）となる。なおロータ３２は、通常の運転時においては、図３の矢印で示す方向（時計回り）に回転する。
【００４３】
そして現在、ロータ３２の回転位置が、図３で示すように、ロータ３２側の定点Ｐ１がステータ３１側の定点Ｐ２と向かい合っているとする。このとき、起動開始位置の変更処理によれば、図３におけるＢ、Ｃ、Ｄの位置に、順に通電がなされる。これによってロータ３２は矢印の方向に略９０度回転し（ＤＣモータ１３の回転位置が、略９０度分だけ変更され）、ロータ３２側の定点Ｐ１が、ステータ３１側の定点Ｐ３とほぼ向かい合うようになる。つまりロータ３２は、機械角で所定角度（ここでは略９０度）回転することによって、回転位置が変わることになる。なおこの角度は一例であって、機械角で略１８０度（半回転）等であってもよい。
【００４４】
このような起動開始位置の変更処理がなされることにより、ＤＣモータ１３の回転を妨げる機械的な引っ掛かりが解消され、次回のステップＳ１の処理によって、起動が成功する可能性が高くなる。なお、図３の状態における起動開始位置の変更処理により、Ｆ、Ｅ、Ｄの位置に、順に通電がなされるようにしても良い。つまり、起動開始位置の変更処理として、ロータを矢印の方向（通常の運転時の回転方向）とは、逆方向に回転させるようにしても良い。
【００４５】
特に、矢印の方向にロータ３２を回転させる起動開始位置の変更処理がなされた後に、起動が失敗した場合には、矢印とは逆方向にロータ３２を回転させる起動開始位置の変更処理が実行されることにより、ＤＣモータ１３の回転を妨げる機械的な引っ掛かりが解消され易くなると考えられる。そのため、このようにすれば、より起動を成功させ易くすることが可能である。
【００４６】
なお起動開始位置の変更処理での通電に適用される電力の大きさは、任意の大きさとすることが可能であるが、起動開始位置の変更処理をできるだけ確実に遂行させるためには、できるだけ大きくなっていることが望ましい。例えば、当該通電に適用される電力の大きさは、直前に行われたステップＳ１の処理においてＤＣモータ１３を回転させるために用いられた電力よりも、十分に大きくしておけば良い。
【００４７】
また、起動開始位置の変更処理での各相（各通電位置）における通電時間が、通常の起動時での各相における通電時間より、長くなるようにしても良い。例えば、起動開始位置の変更処理に係る当該通電時間が、通常の起動時に係る当該通電時間の５倍（或いは、３倍や４倍など）となるようにすれば良い。このようにすれば、ロータ３２が各通電位置に引き付けられ易くなり、その結果、ロータ３２をより確実に回動させて、起動開始位置の変更処理がより確実に遂行されるようになる。なお起動開始位置の変更処理においては、通電に適用される電力を大きくすること、および通電時間を長くすることが、併用されていても良い。
【００４８】
また起動開始位置の変更処理を実現する方法としては、他の種々の方法が採用され得る。例えば、ＤＣモータ１３とは別個に、より大きな回転トルクを発生させ得るモータを圧縮機４に備えさせておき、このモータの動力を利用してＤＣモータ１３の回転位置を変更させるようにしても良い。
【００４９】
［実施例２］
次に本発明の別の実施形態（実施例２）に関する空気調和機について、以下に説明する。なお本実施例に係る空気調和機は、先述した起動処理の内容を除いて、基本的に実施例１のものと同様であるため、重複した説明は省略する。
【００５０】
空気調和機１においてなされる起動処理の内容を、図５に示すフローチャートを参照しながら、以下に説明する。本実施例における起動処理は、実施例１における起動処理（ステップＳ１、Ｓ２、Ｓ６、Ｓ７）に、ステップＳ３〜Ｓ５に係る処理（図５において、破線で囲まれた部分に相当）が付加された態様となっている。そこで以下、ステップＳ３〜Ｓ５の処理を中心に説明する。
【００５１】
起動が失敗したと判断された場合には（ステップＳ２のＹ）、カウンタ１７は、失敗回数をカウントアップする（ステップＳ３）。そして制御部１８は、失敗回数が規定値に達したか否かを判断する（ステップＳ４）。なおこの規定値は、１個または複数個が予め規定されている。そして例えば規定値として「２、４、６」の３個が設定されていれば、失敗回数が２回、４回、および６回の何れかとなったときに、失敗回数が規定値に達したと判断される。
【００５２】
失敗回数が規定値に達していると判断された場合には（ステップＳ４のＹ）、上述した、ステップＳ６の判断処理で用いられる判定条件が緩められる（ステップＳ５）。例えば、当初の判定条件が「−３℃以下」であった場合、ステップＳ５の処理が実行される度に、「０℃以下」、「３℃以下」、・・・といった具合に、判定条件が緩められる。
【００５３】
そしてステップＳ５の処理がなされた後、若しくは、失敗回数が規定値に達していないと判断された場合には（ステップＳ４のＮ）、実施例１と同様に、ステップＳ６の処理が実行されることになる。なお、上述した規定値の内容や、判定条件をどのように緩めていくかについては、ユーザが任意に設定できるようになっていても良い。
【００５４】
ここで起動処理の初期段階では、起動失敗の主な原因が、ＤＣモータ１３の機械的な引っ掛かり以外にあることが十分に考えられる。そのためこの場合は処理負担の軽減等の観点から、判定条件を比較的厳しくしておき、起動条件変更処理が安易に実行されないことが望まれる。一方、失敗回数が増加し、その都度ステップＳ１の処理が繰り返されても起動が成功しない場合には、ＤＣモータ１３の機械的な引っ掛かりが、起動失敗の主な原因となっている可能性が高いと考えられる。そのため、判定条件を比較的緩くしておき、起動条件変更処理が比較的積極的に実行されることが望まれる。
【００５５】
本実施例における起動処理では、失敗回数の増加に応じて判定条件が緩められるようになっているため、このような要望に極力応え得るものとなっている。
【００５６】
［まとめ］
以上までに説明した通り、空気調和機１は、ＤＣモータ１３（直流モータ）を有する圧縮機４を備えており、起動時に、予め設定された大きさの起動電圧をＤＣモータ１３に供給する処理（電圧供給処理）を行うようになっている。また、起動の失敗を検知する起動失敗検知部１６と、圧縮機４が設置される室外の温度を検出する温度センサ１５を備えている。また、温度センサ１５により検出された温度が、所定の条件を満たしているか否かを判断するようになっている。
【００５７】
更に空気調和機１は、起動電圧が大きくなるように起動電圧の設定値を更新するとともに、ＤＣモータ１３を所定角度回転させることによって、ＤＣモータ１３の回転位置を変更させる処理（起動条件変更処理）を行うようになっている。またこの起動条件変更処理は、起動の失敗が検知され、かつ、検出された温度が所定の条件を満たしていると判断された場合に、次回行われる電圧供給処理に先立ってなされるようになっている。
【００５８】
そのため空気調和機１によれば、起動が失敗した場合に、室外温度に応じて、モータの回転を妨げる機械的な引っ掛かりによる起動失敗の原因を極力除去し、ひいては、運転の信頼性を高めることが可能となっている。なお、起動の失敗が検知され、かつ、検出された温度が所定の条件を満たすと判断された場合に、起動条件変更処理がなされるため、当該処理が無駄に実行されることを極力回避することが可能となっている。
【００５９】
なお先述したように、空気調和機１における温度センサ１５は、圧縮機４が設置される室外の温度を検出するものであるが、他の温度をも検出するようになっていても良い。例えば、圧縮機４が設置される室外の温度に加えて、室内用熱交換機２が設置される室内の温度、圧縮機４に設けられている吐出管の温度、室内用熱交換機２の温度、および室外用熱交換機３の温度、のうちの少なくとも一つをも検出するようになっていても良い。このように温度センサ１５によって種々の温度が検出されることにより、空気調和器１周辺における温度状況のより的確な把握が可能となり、起動条件変更処理をより適切なタイミングで実行させることが容易となる。
【００６０】
以上、本発明の実施形態について具体例を挙げて説明したが、本発明はこれらの内容に限定されるものではない。また本発明の実施形態としては、本発明の趣旨を逸脱しない範囲において、種々の改変を加えることが可能である。
【産業上の利用可能性】
【００６１】
本発明は、圧縮機を備えた空気調和機などの分野において、利用可能である。
【図面の簡単な説明】
【００６２】
【図１】本発明の実施形態に係る空気調和機の構成図である。
【図２】電力供給系統についての、より具体的な構成図である。
【図３】起動条件変更処理に関する説明図である。
【図４】本発明の実施例１に関する、起動処理のフローチャートである。
【図５】本発明の実施例２に関する、起動処理のフローチャートである。
【符号の説明】
【００６３】
１    空気調和機
２    室内用熱交換機
３    室外用熱交換機
４    圧縮機
１１    ＡＣ−ＤＣコンバータ
１２    モータ駆動回路
１３    ＤＣモータ
１４    操作部
１５    温度センサ
１６    起動失敗検知部
１７    カウンタ
１８    制御部
１９    記憶部
２１    電流検出回路
３１    ステータ
３２    ロータ
Ｒ            抵抗
Ｔｕ〜Ｔｚ    トランジスタ
【図１】
0005122366.tif 000002
【図２】
0005122366.tif 000003
【図３】
0005122366.tif 000004
【図４】
0005122366.tif 000005
【図５】
0005122366.tif 000006